(57)【要約】【解決手段】  磁気反応型センサまたはスイッチを備えた構造物において、磁気反応型センサまたはスイッチは、構造物の少なくとも一部分を構成する軟磁性体である対向する２面の間において、磁気反応型センサまたはスイッチの感磁面が該２面の対向方向に対して実質的に垂直となるように配置され、磁気反応型センサまたはスイッチに対する作用素子である磁石は、その磁軸が感磁面に対して実質的に垂直に対峙しうるように配置される。【効果】  磁気センサや磁気スイッチに対する磁気的外乱を確実に阻止でき、その検知動作またはオンオフ動作を常に確実且つ正確に行わせることができる。また、そのための磁気シールドは、これら磁気センサや磁気スイッチが組み込まれる構造物自身が備えるベースや筐体やレール等の構成部材を利用して行われるので、別個の部品を設ける必要がなく、構造が簡単となり小型化で低価格化することができる。【選択図】          図４
2005285612.tif 000002
【特許請求の範囲】
【請求項１】
磁気反応型センサまたはスイッチを備えた構造物において、前記磁気反応型センサまたはスイッチは、前記構造物の少なくとも一部分を構成する軟磁性体である対向する２面の間において、該磁気反応型センサまたはスイッチの感磁面が該２面の対向方向に対して実質的に垂直となるように配置されており、前記磁気反応型センサまたはスイッチに対する作用素子である磁石は、その磁軸が前記感磁面に対して実質的に垂直に対峙しうるように配置されていることを特徴とする構造物。
【請求項２】
前記磁気反応型センサまたはスイッチの感磁面は、固定されており、前記磁石は、前記感磁面に対して可動とされている請求項１に記載の構造物。
【請求項３】
前記磁気反応型センサまたはスイッチの感磁面は、前記対向する２面のうちの一方の面または前記対向する２面の間に設けられた取付け部に取り付け固定され、前記磁石は、構造物の移動要素に取り付け固定されている請求項２に記載の構造物。
【請求項４】
前記磁石は、固定されており、前記磁気反応型センサまたはスイッチの感磁面は、前記磁石に対して可動とされている請求項１に記載の構造物。
【請求項５】
前記磁石は、前記対向する２面のうちの一方の面または前記対向する２面の間に設けられた取付け部に取り付け固定され、前記磁気反応型センサまたはスイッチの感磁面は、構造物の移動要素に取り付け固定されている請求項４に記載の構造物。
【請求項６】
前記対向する２面は、構造物の金属製の断面コの字状のベースまたはレールの対向する２面である請求項１から５のうちのいずれか１項に記載の構造物。
【請求項７】
前記対向する２面は、構造物の金属製の対向して平行に延びる２本のベース部材またはレール部材の対向する２面である請求項１から５のうちのいずれか１項に記載の構造物。
【請求項８】
シートベルト用バックルまたはカーテンレールまたは扉の錠またはシャッターブラインドである請求項１から７のうちのいずれか１項に記載の構造物。
【発明の詳細な説明】
【技術分野】
【０００１】
本発明は、磁気を感知して作動する磁気反応型センサまたはスイッチ等の配置や構成および利用方法に関するものであり、より詳細には、磁気反応型センサまたはスイッチを備えた構造物に関するものである。
【背景技術】
【０００２】
磁気を感知して作動する磁気反応型センサやスイッチには、例えば、磁気抵抗素子やホール素子その他を利用したものがあるが、これらは、その素子の感磁部位において磁気を感知するものであり、詳しくは感磁部位を通過する磁界の強さ、即ち磁束の数あるいは密度により磁気を感知するようになっている。また、これらの素子は、凡そ固体素子であり、その感磁部位は、凡そ面状の感磁面を備えており、素子に作用させる磁界は、この感磁面を垂直に通過させるようにすることが一般的な利用形態である。つまり、これら素子には磁界を作用させるべき方向が定まっているのである。
【０００３】
近年、このようなセンサやスイッチにあっては、小型化、高精度化に伴いセンサまたはスイッチ素子やこれに作用させる磁石も小型化してきており、従って感磁面も磁束も小型化、縮小化するなかで更に高精度とするためには、狭い面積の感磁面に弱い磁界を正確に且つ確実に作用させる必要があるほか、これに伴い磁気的外乱を防ぐ必要性がより高まっている。また、小型化することにより機器、装置類への組込みに際しては、隣接、近接する部分に他の電子機器、装置類が多く配置され密集化することとなり、これらの電子機器、装置類からの磁気的外乱を受け易くなっていることもあり、磁気的外乱を防ぐ必要性は更に高まっている。
【０００４】
一方、このようなセンサやスイッチを利用する際には、動きを伴った部品を含む各要素の組合せから成る構造物に組み込むのであるが、このような構造物を構成するためには、凡そ何らかのベースや筐体あるいはカバー等が必要であり、特に強度を要するものの場合には、金属製のベースや筐体等が多く用いられる。例えば、鉄材は安価で加工性が良く強度も高いことから極く一般的な素材として多く用いられている。そして、磁気反応型センサ素子またはスイッチ素子およびこれに作用させる磁石は、構造物を構成する要素あるいはベースや筐体等に取り付けて組み込むのが一般的である。
【０００５】
このように磁気反応型センサやスイッチを利用した従来の構造物の例としては、扉等の電気錠に適用したものとして、特開平６−５００３６号公報に開示されたもの、カーテンレールに適用したものとして、特開昭６２−２２４３１９号公報に開示されたもの、窓や扉のマグネットスイッチに適用したものとして、特開２００１−１４９９０号公報に開示されたもの、シートベルト用バックルに適用したものとして、特開２００３−３４１４７５号公報や特開２００１−２２４４０８号公報に開示されたもの、電動ブラインドに適用したものとして、特開平６−１０１３８７号公報に開示されたもの、窓用ロック装置に適用したものとして、登録実用新案第３０６０８３２号公報に開示されたもの等がある。これらの従来例は、磁気センサや磁気スイッチを用いた各種用途の機器装置類であるが、凡そ金属性のベースや筐体に磁気センサや磁気スイッチが内包されているものである。
【０００６】
【特許文献１】特開平６−５００３６号公報
【特許文献２】特開昭６２−２２４３１９号公報
【特許文献３】特開２００１−１４９９０号公報
【特許文献４】特開２００３−３４１４７５号公報
【特許文献５】特開２００１−２２４４０８号公報
【特許文献６】特開平６−１０１３８７号公報
【特許文献７】登録実用新案第３０６０８３２号公報
【発明の開示】
【発明が解決しようとする課題】
【０００７】
前述したような従来例においては、磁気センサ素子または磁気スイッチ素子の感磁面の方向について、磁気ノイズに対する何らの配慮もなされておらず、また、多くは磁気シールドも施されておらず、磁気シールドが施されているものは、その磁気シールドが大掛かりで煩雑な構成となってしまっている。
【０００８】
これら従来例においては、磁気抵抗素子やホール素子等によって構成される磁気センサや磁気スイッチと、これに作用させる磁石との配置については、前述したように、添付図面の図１の原理図に示すように、磁気センサや磁気スイッチの感磁面１に対して、磁石２による磁界の磁束が実質的に垂直に通過するような配置とするのが一般的である。そして、感磁面１に対する磁石２の移動方向としては、図２に示すように、矢印Ａで示すような感磁面１に対して平行に移動させるＡ型移動、矢印Ｂで示すような感磁面１に対して旋回移動させるＢ型移動、矢印Ｃに示すような感磁面１に対して垂直移動させるＣ型移動等が主として考えられるのである。しかし、これら磁気素子および磁石は、その適用機器、装置類等の構造物において何らかのベースや筐体等に取り付けて組み込む必要があり、構造物自体の機能から磁石の移動は、凡そスライド型のＡ型移動となるのが従来の一般的な形態である。
【０００９】
より具体的には、図３の（Ａ）および（Ｂ）に略示するように、適用する構造物としては、凡そコの字状断面のベースあるいはレール３等の中を移動要素４がスライドして移動する形態である。そして、このような構造物に対して磁気センサや磁気スイッチの感磁面１およびこれに作用させる磁石２を組み込む際には、図３の（Ａ）に略示するように、構造物のベースあるいはレール３の一方の外側側面に磁気センサまたは磁気スイッチの感磁面１を配置し、この感磁面１に対して対峙しうるように磁石２を構造物の移動要素４に取り付け固定するような構造とするか、図３の（Ｂ）に略示するように、構造物のベースあるいはレール３の底面部に磁気センサまたは磁気スイッチの感磁面１を配置し、この感磁面１に対して対峙しうるように磁石２を構造物の移動要素４に取り付け固定するような構造とするのが一般的である。しかしながら、これらの構造形態では、感磁面１の両垂直方向あるいは片方が開放された状態であり、磁気的外乱を受け易いという問題があった。
【００１０】
凡そ一般的に、何らかの機器、装置類等の構造物自体に求められる機能を先ずは満足させることが優先されるのであり、そのための構造、形状、寸法等を決定し、次いで磁気センサや磁気スイッチおよびこれに作用させる磁石等の配置を決定するのが普通である。このため、磁気センサや磁気スイッチおよびこれに作用させる磁石等は、凡そ後付け、外付けとなることから、図３の（Ａ）や（Ｂ）に略示したような構造となるのである。
【００１１】
なお、図３の（Ｃ）に略示するように、適用する構造物が折畳み型の機器、装置類においては、磁石２の移動は、前述したＢ型移動となるが、同じく感磁面１の両垂直方向あるいは片方が開放状態となってしまうものである。さらにまた、前述したＣ型移動のような動きは、実際の機器、装置類等の構造物においては凡そ例外的なものであるが、やはり感磁面の両垂直方向あるいは片方が開放状態となってしまうものである。
【００１２】
このような従来の構造物においては、組み込んだ磁気センサや磁気スイッチに対する磁気的外乱を防ぐため、例えば、種々の磁気シールドを付加したり筐体自体やカバー等を磁気シールド性を有する素材にて構成する等、何らかの対策が必要であったり、満足に対策を施せない場合には、磁気的外乱に弱いものとなる問題があった。
【００１３】
したがって、本発明の目的は、このような従来の問題点を解消しうるような磁気反応型センサまたはスイッチを備えた構造物を提供することである。
【課題を解決するための手段】
【００１４】
本発明によれば、磁気反応型センサまたはスイッチを備えた構造物において、前記磁気反応型センサまたはスイッチは、前記構造物の少なくとも一部分を構成する軟磁性体である対向する２面の間において、該磁気反応型センサまたはスイッチの感磁面が該２面の対向方向に対して実質的に垂直となるように配置されており、前記磁気反応型センサまたはスイッチに対する作用素子である磁石は、その磁軸が前記感磁面に対して実質的に垂直に対峙しうるように配置されていることを特徴とする構造物が提供される。
【００１５】
本発明の一つの実施の形態によれば、前記磁気反応型センサまたはスイッチの感磁面は、固定されており、前記磁石は、前記感磁面に対して可動とされている。
【００１６】
本発明の別の実施の形態によれば、前記磁気反応型センサまたはスイッチの感磁面は、前記対向する２面のうちの一方の面または前記対向する２面の間に設けられた取付け部に取り付け固定され、前記磁石は、構造物の移動要素に取り付け固定されている。
【００１７】
本発明のさらに別の実施の形態によれば、前記磁石は、固定されており、前記磁気反応型センサまたはスイッチの感磁面は、前記磁石に対して可動とされている。
【００１８】
本発明のさらに別の実施の形態によれば、前記磁石は、前記対向する２面のうちの一方の面または前記対向する２面の間に設けられた取付け部に取り付け固定され、前記磁気反応型センサまたはスイッチの感磁面は、構造物の移動要素に取り付け固定されている。
【００１９】
本発明のさらに別の実施の形態によれば、前記対向する２面は、構造物の金属製の断面コの字状のベースまたはレールの対向する２面である。
【００２０】
本発明のさらに別の実施の形態によれば、前記対向する２面は、構造物の金属製の対向して平行に延びる２本のベース部材またはレール部材の対向する２面である。
【００２１】
本発明のさらに別の実施形態によれば、前記構造物は、シートベルト用バックルまたはカーテンレールまたは扉の錠またはシャッターブラインドである。
【発明の効果】
【００２２】
本発明によれば、種々な構造物に組み込まれる磁気センサや磁気スイッチに対する磁気的外乱を確実に阻止できるので、その検知動作またはオンオフ動作を常に確実且つ正確に行わせることができる。
【００２３】
本発明によれば、磁気センサや磁気スイッチに対する磁気的外乱を阻止するための磁気シールドは、これら磁気センサや磁気スイッチが組み込まれる構造物自身が備えるベースや筐体やレール等の構成部材を利用して行われるので、別個の部品を設ける必要がなく、構造が簡単となり小型化で低価格化することができる。
【発明を実施するための最良の形態】
【００２４】
次に、添付図面を参照して、本発明の実施の形態および実施例について、本発明をより詳細に説明する。
【００２５】
先ず、本発明の実施の形態または実施例について説明する前に、本発明の基本的原理または概念について説明する。本発明の基本的原理または概念によれば、適用する構造物自体の一部を構成する磁気シールド性を有する、例えば、軟磁性体である金属製のベースや筐体やレール等を、磁気反応型磁気センサまたはスイッチに対する磁気的外乱をシールドするための磁気シールドとして利用するのである。このため、本発明によれば、適用する構造物に対して磁気センサや磁気スイッチ等を組み込むにあたり、その構造物の金属製のベースや筐体やレール等の対向する２面間において対向方向に対して、磁気センサや磁気スイッチを構成する磁気抵抗素子やホール素子等の感磁面が垂直となるように配置する。
【００２６】
このような配置および構成とすることにより、磁気センサまたはスイッチ等を構成する磁気抵抗素子やホール素子の感磁面を貫く両垂直方向には、構造物の金属製のベースや筐体やレールの各々対向する２面が位置することとなり、磁気抵抗素子やホール素子の感磁面に垂直となる外部からの磁気、磁束を、それらの対向する２面の磁気シールドにより防ぐことができるものである。なお、機器、装置類等の構造物の設計においては自由度が多少制限されることとなる場合があるが、本発明は、磁気センサや磁気スイッチに対する磁気的外乱を防ぐため、適用する構造物自体の金属製のベースや筐体やレール等を磁気シールドとして利用せんとするものである。
【００２７】
ここで、構造物とは、そもそも磁気センサや磁気スイッチおよびその作動に要する各要素を内蔵または内包し、何らかの機能を持つ、凡そアッセンブリー的なものであり、例えば、検出ユニットやスイッチモジュールの他、リモコン装置、携帯電話、ドアキャッチ、バックル等々の比較的小型のものである。このような構造物を構成するにあたり、強度や耐久性、各要素の位置や動作の精度、組立て、組付け性およびコスト等を考慮すると、そのベース等は、凡そ板金加工で成形する断面コの字状のものとなることが多く一般的である。
【００２８】
添付図面の図４は、前述したような本発明の基本的原理または概念による典型的な配置および構成例を略示する図である。この典型例では、適用する構造物の軟磁性体である金属製の断面コの字状のベースまたはレール３の対向する２面３Ａおよび３Ｂのうちの一方の側面３Ａに、磁気センサまたは磁気スイッチの感磁面１が２面３Ａおよび３Ｂの対向方向に対して垂直となるように、その磁気センサまたは磁気スイッチが取り付け固定されている。一方、この磁気センサまたは磁気スイッチに対する作用素子である磁石２は、その感磁面１に対してその磁軸が実質的に垂直に対峙しうるような位置で構造物の移動要素４に取り付け固定されている。この典型例の動作においては、構造物の移動要素４は、構造物のベースまたはレール３の延長方向（図４の紙面に対して垂直な方向）にそって可動なものであり、磁石２は、この移動要素４の移動につれて移動し、磁気センサまたは磁気スイッチの感磁面１に対峙する位置にもたらされるときに、その磁気センサまたは磁気スイッチの検知動作またはオンオフ動作を行わせる。
【００２９】
ここで、本発明においては、適用する構造物のベースや筐体やレール等の対向する２面とは、必ずしも完全に平行な２平面に限るものではなく、図５の（Ａ）から（Ｅ）に略示するように、凡そ対向しており磁気センサまたは磁気スイッチの感磁面１を貫く両垂直方向に２面３Ａおよび３Ｂが位置する程度でも本発明は実施可能である。
【００３０】
次に、図６から図１１を参照して、前述したような本発明の基本的原理または概念に基づく本発明のより具体的な実施例について説明する。磁気を感知して作動する磁気センサや磁気スイッチ等を組み込んだ構造物としては種々多様のものがあり、先ず、図６は、構造物がシートベルト用バックルである場合の実施例の配置および構成を略示する斜視図である。この図６に示されるように、シートベルト（図示していない）の一端を取り付け固定する固定具１０は、バックルの軟磁性体である金属製の断面コの字状のベース１３に対して矢印方向に着脱自在とされている。ベース１３の対向する２面１３Ａおよび１３Ｂの間に位置する底面部上には、固定具１０の矢印方向の移動に応じて移動しうるように移動要素１４が設けられている。そして、この移動要素１４には、磁気センサまたは磁気スイッチに対する作用素子である磁石１２が取り付け固定されている。一方、ベースの対向する２面１３Ａおよび１３Ｂの間に設けられた取付け部１５には、磁気センサまたは磁気スイッチの感磁面１１が、ベース１３の対向する２面１３Ａおよび１３Ｂ間において対向方向に対して垂直となるようにして、磁気センサまたは磁気スイッチが取り付け固定されている。この感磁面１１と磁石１２の位置関係は、固定具１０の矢印方向に応じて磁石１２が移動するときに、その磁石１２の磁軸が感磁面１１を横切るようなものとしておくのが好ましい。これにより、シートベルトの着脱を、その磁気センサまたは磁気スイッチの作動により、確実に検知することが可能となる。
【００３１】
図７は、構造物がカーテンレールである場合の実施例の配置および構成を略示する斜視図である。この図７に示されるように、カーテン２０Ａの上端を取り付け固定するカーテン取付け具２０の一端には、軟磁性体である金属製の断面コの字状のレール２３にそって移動しうる移動要素２４が取り付けられている。レール２３の対向する２面２３Ａおよび２３Ｂのうちの一方の側面２３Ａの内側に沿うようにして磁石列２２が設けられている。この磁石列２２は、Ｎ極とＳ極とが交互に現れるようなものとされている。一方、移動要素２４には、ホールＩＣの如きホール素子にて構成される磁気センサまたは磁気スイッチの感磁面２１が、レール２３の対向する２面２３Ａおよび２３Ｂ間において対向方向に対して垂直となるようにして、磁気センサまたは磁気スイッチが取り付け固定されている。この感磁面２１と磁石２２の位置関係は、移動要素２４がカーテン２０Ａの開け閉めに応じて移動するときに、その磁石列２２の各磁軸を感磁面２１が横切るようなものとしておくのが好ましい。これにより、カーテン２０Ａの開け閉め動作を、その磁気センサまたは磁気スイッチの作動により、確実に検知することが可能となる。
【００３２】
図８は、構造物が門扉や戸等の扉の錠である場合の実施例の配置および構成を略示する部分断面図である。この図８に示されるように、扉３０Ａの側には、錠の係合部材である移動要素３４が取り付けられており、一方、扉枠３０Ｂ側には、移動要素３４である係合部材を受け入れる錠の係合孔３３Ａを定める軟磁性体である金属製の断面コの字状の受け台３３が取り付けられている。この受け台３３の対向する２面３３Ａおよび３３Ｂのうちの一方の側面３３Ａの内側には、ホールＩＣの如きホール素子にて構成される磁気センサまたは磁気スイッチの感磁面３１が、受け台３３の対向する２面３３Ａおよび３３Ｂ間において対向方向に対して垂直となるようにして、磁気センサまたは磁気スイッチが取り付け固定されている。また、係合部材である移動要素３４には、磁石３２が取り付け固定されている。この感磁面３１と磁石３２の位置関係は、移動要素３４が係合孔３３Ａに対して矢印方向に出入りするときに、その磁石３２の磁軸が感磁面３１を横切るようなものとしておくのが好ましい。これにより、扉３０Ａの開け閉め動作、すなわち、錠の開け閉め動作を、その磁気センサまたは磁気スイッチの作動により、確実に検知することが可能となる。
【００３３】
図９は、構造物がシャッターブラインドである場合の実施例の配置および構成を略示する部分断面図である。この図９に示されるように、シャッターブラインド４０Ａは、巻上げドラム４０Ｂに巻き付けられて上下に開閉しうるものとされている。シャッターブラインド取付け部４０Ｃの上には、巻上げドラム４０Ｂを取り囲むようにして、軟磁性体である金属製の断面コの字状のベース４３が取り付けられている。このベース４３の対向する２面４３Ａおよび４３Ｂのうちの一方の側面４３Ａの側でシャッターブラインド取付け部４０Ｃの上には、ホールＩＣの如きホール素子にて構成される磁気センサまたは磁気スイッチの感磁面４１が、ベース４３の対向する２面４３Ａおよび４３Ｂ間において対向方向に対して垂直となるようにして、磁気センサまたは磁気スイッチが取り付け固定されている。また、シャッターブラインド取付け部４０Ｃには、シャッターブラインド４０Ａを通過させるための開口４０Ｄが設けられており、この開口４０Ｄを横切るようにして、矢印方向に移動しうる移動要素４４が設けられている。この移動要素４４には、適当なバネ部材により弾性偏移力が加えられており、シャッターブラインド４０Ａの上下移動に応じて移動要素４４が矢印方向に移動しうるものとされている。この移動要素４４には、磁石４２が取り付けられており、この磁石４２は、シャッターブラインド４０Ａの上下移動、すなわち、移動要素４４の矢印方向の移動に応じて移動する。磁気センサまたは磁気スイッチの感磁面４１と磁石４２の位置関係は、移動要素４４が矢印方向に移動するときに、その磁石４２の磁軸が感磁面４１に対して垂直に接近したり遠ざかったりするようなものとしておくのが好ましい。これにより、シャッターブラインド４０Ａの開け閉め動作を、その磁気センサまたは磁気スイッチの作動により、確実に検知することが可能となる。
【００３４】
図１０は、構造物が、断面コの字状でなく、２つの対向する軟磁性体である金属製の平行部材５３Ａおよび５３Ｂからなるベース５３を有するような場合の実施例の配置および構成を略示する斜視図である。この図１０に示されるように、ベース５３の対向する２面５３Ａおよび５３Ｂの間には、この構造物の移動要素（図示していない）の移動につれて矢印方向に移動する磁石５２が設けられている。一方、ベース５３の対向する２面５３Ａおよび５３Ｂの間に、上方から取り付けられるようになった取付け部５５には、磁気センサまたは磁気スイッチの感磁面５１が、ベース５３の対向する２面５３Ａおよび５３Ｂ間において対向方向に対して垂直となるようにして、磁気センサまたは磁気スイッチが取り付け固定されている。この感磁面５１と磁石５２の位置関係は、移動要素の矢印方向に応じて磁石５２が移動するときに、その磁石５２の磁軸が感磁面５１を横切るようなものとしておくのが好ましい。これにより、構造物の移動要素の移動を、その磁気センサまたは磁気スイッチの作動により、確実に検知することが可能となる。
【００３５】
図１１は、構造物が、断面コの字状でなく、２つの対向する軟磁性体である金属製の平行部材６３Ａおよび６３Ｂからなるベース６３を有するような場合の実施例の配置および構成を略示する斜視図である。この図１１に示されるように、ベース６３の対向する２面６３Ａおよび６３Ｂの間には、この構造物の移動要素（図示していない）の移動につれて矢印方向に移動する磁石６２が設けられている。一方、ベース６３の対向する２面６３Ａおよび６３Ｂの間に、下方から取り付けられるようになった取付け部６５には、磁気センサまたは磁気スイッチの感磁面６１が、ベース６３の対向する２面６３Ａおよび６３Ｂ間において対向方向に対して垂直となるようにして、磁気センサまたは磁気スイッチが取り付け固定されている。この感磁面６１と磁石６２の位置関係は、移動要素の矢印方向に応じて磁石６２が移動するときに、その磁石６２の磁軸が感磁面６１を横切るようなものとしておくのが好ましい。これにより、構造物の移動要素の移動を、その磁気センサまたは磁気スイッチの作動により、確実に検知することが可能となる。
【００３６】
なお、本発明は、前述したような実施例に限らず、同様の磁気シールドとして利用しうる構造のベースや筐体やレール等を有する構造物に対して同様に種々適用しうるものである。また、前述の説明では、磁気反応型センサまたはスイッチは、磁気抵抗素子やホール素子にて構成されるものとしたが、本発明は、これに限らず、同様の種々な素子にて構成された磁気反応型センサまたはスイッチを含むものである。
【図面の簡単な説明】
【００３７】
【図１】磁気センサや磁気スイッチとこれに作用させる磁石との配置について説明するための原理図である。
【図２】磁気センサや磁気スイッチの感磁面に対する磁石の移動方向による型式について説明するための概略図である。
【図３】従来の磁気反応型センサまたはスイッチを備えた構造物の構成例を説明するための概略図である。
【図４】本発明の基本的原理または概念による典型的な配置および構成例を略示する図である。
【図５】本発明の基本的原理または概念による種々な変形態様を示す概略図である。
【図６】構造物がシートベルト用バックルである場合の本発明の実施例の配置および構成を略示する斜視図である。
【図７】構造物がカーテンレールである場合の本発明の実施例の配置および構成を略示する斜視図である。
【図８】構造物が門扉や戸等の扉の錠である場合の本発明の実施例の配置および構成を略示する部分断面図である。
【図９】構造物がシャッターブラインドである場合の本発明の実施例の配置および構成を略示する部分断面図である。
【図１０】本発明の別の実施例の配置および構成を略示する斜視図である。
【図１１】本発明のさらに別の実施例の配置および構成を略示する斜視図である。
【符号の説明】
【００３８】
１  磁気センサまたは磁気スイッチの感磁面
２  磁石
３  構造物のベースまたはレール
３Ａ  対向する面
３Ｂ  対向する面
４  構造物の移動要素
１０  固定具
１１  感磁面
１２  磁石
１３  ベース
１３Ａ  対向する面
１３Ｂ  対向する面
１４  移動要素
１５  取付け部
【図１】
2005285612.tif 000003
【図２】
2005285612.tif 000004
【図３】
2005285612.tif 000005
【図４】
2005285612.tif 000006
【図５】
2005285612.tif 000007
【図６】
2005285612.tif 000008
【図７】
2005285612.tif 000009
【図８】
2005285612.tif 000010
【図９】
2005285612.tif 000011
【図１０】
2005285612.tif 000012
【図１１】
2005285612.tif 000013